(57)【特許請求の範囲】
【請求項１】
内容を表示するための方法であって、
ディスプレイスクリーンにおける表示内容が変化するか否かを検出し;
もし表示内容が変化しないならば、表示単位の各行の奇数ピクセル及び偶数ピクセルに個別に対応する表示データを交互に更新するようにディスプレイスクリーンを制御することを含み、前記表示単位が、行により分割されたピクセル群のｍ行の組み合わせであり、ｍが正の整数であり、
各ピクセルは、対応のイネーブル線を介して駆動集積回路に電気的に接続され、スイッチを介してデータ線に電気的に接続され、
前記表示単位の各行の奇数ピクセル及び偶数ピクセルに個別に対応する表示データを交互に更新するようにディスプレイスクリーンを制御することが、
奇数の更新の時、前記駆動集積回路により全奇数ピクセルのスイッチを第１状態に制御し、全偶数ピクセルのスイッチを第２状態に制御することと、
偶数の更新の時、前記駆動集積回路により全偶数ピクセルのスイッチを第２状態に制御し、全奇数ピクセルのスイッチを第１状態に制御することを含み、
前記表示単位の各行の奇数ピクセル及び偶数ピクセルに個別に対応する表示データを交互に更新するようにディスプレイスクリーンを制御することは、更に、
前記表示内容が変化しないことが検出されるならば、プロセッサにより前記表示内容の奇数ピクセル及び偶数ピクセルに対応する前記表示データを交互に生成することと、
前記プロセッサにより前記ディスプレイスクリーンの前記駆動集積回路へ生成された前記表示データを伝送することを含み、
前記駆動集積回路は、受けとった前記表示データに応じて更新するように前記ディスプレイスクリーンを制御するように構成され、前記表示データは、伝送バスを介して伝送される、方法。
【請求項２】
前記表示単位の２つの隣接行について、第１行で更新した全奇数ピクセル及び第２行で更新した全偶数ピクセルが列方向で互い違いである；及び
前記表示単位の前記２つの隣接行について、前記第１行で更新した全偶数ピクセル及び前記第２行で更新した全奇数ピクセルが前記列方向で互い違いである、請求項１に記載の方法。
【請求項３】
内容を表示するための機器であって、
ディスプレイスクリーンにおける表示内容が変化するか否かを検出するように構成された検出モジュールと、
前記表示内容が変化しないことを前記検出モジュールが検出するならば、表示単位の各行の奇数ピクセル及び偶数ピクセルに個別に対応する表示データを交互に更新するように前記ディスプレイスクリーンを制御するように構成された制御モジュールを含み、
前記表示単位が、行により分割されたピクセル群のｍ行の組み合わせであり、ｍが正の整数であり、
各ピクセルは、対応のイネーブル線を介して駆動集積回路に電気的に接続され、スイッチを介してデータ線に電気的に接続され、前記制御モジュールは、
奇数の更新の時、前記駆動集積回路により全奇数ピクセルの前記スイッチを第１状態に制御し、全偶数ピクセルの前記スイッチを第２状態に制御するように構成された第１制御サブモジュールと、
偶数の更新の時、前記駆動集積回路により全偶数ピクセルの前記スイッチを前記第２状態に制御し、全奇数ピクセルの前記スイッチを前記第１状態に制御するように構成された第２制御サブモジュールを含み、
前記制御モジュールは、更に、
前記表示内容が変化しないことを前記検出モジュールが検出するならば、プロセッサにより前記表示内容の奇数ピクセル及び偶数ピクセルに対応する表示データを交互に生成するように構成された第３生成サブモジュールと、
前記プロセッサにより、前記ディスプレイスクリーンの前記駆動集積回路へ、前記第３生成サブモジュールにより生成された前記表示データを伝送するように構成された第３伝送サブモジュールを含み、
前記駆動集積回路は、受けとった前記表示データに応じて更新するように前記ディスプレイスクリーンを制御するように構成され、前記表示データは、伝送バスを介して伝送される、機器。
【請求項４】
前記表示単位の２つの隣接行について、第１行で更新した全奇数ピクセル及び第２行で更新した全偶数ピクセルが列方向で互い違いである；及び
前記表示単位の前記２つの隣接行について、前記第１行で更新した全偶数ピクセル及び前記第２行で更新した全奇数ピクセルが前記列方向で互い違いである、請求項３に記載の機器。
【請求項５】
コンピュータ上で処理される時、請求項１又は２に記載の内容を表示するための方法をコンピュータに実行させるコンピュータプログラム。
【請求項６】
請求項５に記載のコンピュータプログラムが記憶されたコンピュータ読み取り可能記憶媒体。
【発明の詳細な説明】
【技術分野】
【０００１】
−関連出願の参照−
本出願は、２０１５年１０月２２日に中華人民共和国の国家知的財産権局に出願された中国特許出願Ｎｏ．２０１５１０６９６６１６．１に基づき、また優先権を主張し、その全内容が参照により本明細書に組み込まれる。
【０００２】
本開示は、画像処理技術の分野に関し、より端的には、内容を表示するための方法及び機器に関する。
【背景技術】
【０００３】
スマート・デバイスの消費電力の重要部分であるディスプレイスクリーンの消費電力が、スマート・デバイスのバッテリーの持続期間に直に影響する。関連分野では、ディスプレイスクリーンのリフレッシュ周波数を低下することにより、ディスプレイスクリーンの消費電力を低減することの効果が実現化され得る。しかしながら、ディスプレイスクリーンのリフレッシュ周波数が低下するならば、スプラッシュ・スクリーン現象（splash screen phenomenon）が生じ得る。
【発明の概要】
【発明が解決しようとする課題】
【０００４】
関連分野の問題を解決するため、本開示の実施形態は、内容を表示するための方法及び機器を提供する。
【課題を解決するための手段】
【０００５】
本開示の実施形態の第１側面によれば、内容を表示するための方法が提供され、該方法は、
ディスプレイスクリーンにおける表示内容が変化するか否かを検出し;
もし表示内容が変化しないならば、表示単位の各行の奇数ピクセル及び偶数ピクセルに個別に対応する表示データを交互に更新するようにディスプレイスクリーンを制御することを含み、前記表示単位が、行により分割されたピクセル群のｍ行の組み合わせであり、ｍが正の整数である。
【０００６】
代替として、内容を表示するための方法は、更に、表示単位の２つの隣接行について、第１行で更新した全奇数ピクセル及び第２行で更新した全奇数ピクセルが列方向で互い違いであり、第１行で更新した全偶数ピクセル及び第２行で更新した全偶数ピクセルが列方向で互い違いであることを含む。
【０００７】
代替として、表示単位の各行の奇数ピクセル及び偶数ピクセルに個別に対応する表示データを交互に更新するようにディスプレイスクリーンを制御することが、更に、
奇数の更新の時、駆動集積回路により全奇数ピクセルのスイッチを第１状態に制御し、全偶数ピクセルのスイッチを第２状態に制御することと、
偶数の更新の時、駆動集積回路により全偶数ピクセルのスイッチを第２状態に制御し、全奇数ピクセルのスイッチを第１状態に制御することを含み、
各ピクセルは、対応のイネーブル線を介して前記駆動集積回路に電気的に接続され、前記スイッチを介してデータ線に電気的に接続される。
【０００８】
代替として、表示単位の各行の奇数ピクセル及び偶数ピクセルに個別に対応する表示データを交互に更新するようにディスプレイスクリーンを制御することは、更に、
表示内容が変化しないことが検出されるならば、プロセッサにより表示内容の全表示単位に対応する表示データを生成することと、
前記ディスプレイスクリーンの前記駆動集積回路へ奇数ピクセル及び偶数ピクセルに個別に対応する表示データを交互に伝送するように前記プロセッサにより伝送バスを制御することを含み、
前記駆動集積回路は、受け取った前記表示データに応じて更新するように前記ディスプレイスクリーンを制御するように構成される。
【０００９】
代替として、表示単位の各行の奇数ピクセル及び偶数ピクセルに個別に対応する表示データを交互に更新するようにディスプレイスクリーンを制御することは、更に、
表示内容が変化しないことが検出されるならば、プロセッサにより前記表示内容における全表示単位に対応する表示データを生成することと、
前記プロセッサにより前記ディスプレイスクリーンの前記駆動集積回路へ前記表示データを伝送し、前記表示データが伝送バスを介して伝送されることと、
前記プロセッサにより前記駆動集積回路へ交互更新指令を送信することを含み、
前記駆動集積回路は、前記交互更新指令に応じて前記表示データにおける奇数ピクセル及び偶数ピクセルに個別に対応する表示データを交互に更新するべく前記ディスプレイスクリーンを制御するように構成される。
【００１０】
代替として、表示単位の各行の奇数ピクセル及び偶数ピクセルに個別に対応する表示データを交互に更新するようにディスプレイスクリーンを制御することは、更に、
表示内容が変化しないことが検出されるならば、プロセッサにより前記表示内容の奇数ピクセル及び偶数ピクセルに対応する表示データを交互に生成することと、
プロセッサによりディスプレイスクリーンの駆動集積回路へ生成された前記表示データを伝送することを含み、
前記駆動集積回路は、受けとった前記表示データに応じて更新するように前記ディスプレイスクリーンを制御するように構成され、前記表示データは、伝送バスを介して伝送される。
【００１１】
本開示の実施形態の第２側面によれば、内容を表示するための機器が提供され、該機器は、
ディスプレイスクリーンにおける表示内容が変化するか否かを検出するように構成された検出モジュールと、
前記表示内容が変化しないことを前記検出モジュールが検出するならば、表示単位の各行の奇数ピクセル及び偶数ピクセルに個別に対応する表示データを交互に更新するように前記ディスプレイスクリーンを制御するように構成された制御モジュールを含み、
前記表示単位が、行により分割されたピクセル群のｍ行の組み合わせであり、ｍが正の整数である。
【００１２】
代替として、表示単位の２つの隣接行について、第１行で更新した全奇数ピクセル及び第２行で更新した全奇数ピクセルが列方向で互い違いであり、第１行で更新した全偶数ピクセル及び第２行で更新した全偶数ピクセルが列方向で互い違いであることを含む。
【００１３】
代替として、各ピクセルは、対応のイネーブル線を介して駆動集積回路に電気的に接続され、スイッチを介してデータ線に電気的に接続され、前記制御モジュールは、
奇数の更新の時、前記駆動集積回路により全奇数ピクセルのスイッチを第１状態に制御し、全偶数ピクセルのスイッチを第２状態に制御するように構成された第１制御サブモジュールと、
偶数の更新の時、前記駆動集積回路により全偶数ピクセルのスイッチを第２状態に制御し、全奇数ピクセルのスイッチを第１状態に制御するように構成された第２制御サブモジュールを含む。
【００１４】
代替として、前記制御モジュールは、更に、
前記表示内容が変化しないことを前記検出モジュールが検出するならば、プロセッサにより前記表示内容の全表示単位に対応する表示データを生成するように構成された第１生成サブモジュールと、
前記ディスプレイスクリーンの前記駆動集積回路へ、前記第１生成サブモジュールにより生成され、奇数ピクセル及び偶数ピクセルに個別に対応する前記表示データを交互に伝送するように前記プロセッサにより伝送バスを制御するように構成された第１伝送サブモジュールを含み、
前記駆動集積回路は、受けとった前記表示データに応じて更新するように前記ディスプレイスクリーンを制御するように構成される。
【００１５】
代替として、前記制御モジュールは、更に、
前記表示内容が変化しないことを前記検出モジュールが検出するならば、プロセッサにより前記表示内容における全表示単位に対応する表示データを生成するように構成された第２生成サブモジュールと、
前記プロセッサにより前記ディスプレイスクリーンの前記駆動集積回路へ前記第２生成サブモジュールにより生成された前記表示データを伝送するように構成された第２伝送サブモジュールにして、前記表示データが伝送バスを介して伝送される第２伝送サブモジュールと、
前記プロセッサにより前記駆動集積回路へ交互更新指令を送信するように構成された指令送信サブモジュールを含み、
前記駆動集積回路は、前記交互更新指令に応じて前記第２伝送サブモジュールにより伝送された前記表示データにおける奇数ピクセル及び偶数ピクセルに個別に対応する表示データを交互に更新するべく前記ディスプレイスクリーンを制御するように構成される。
【００１６】
代替として、前記制御モジュールは、更に、
前記表示内容が変化しないことを前記検出モジュールが検出するならば、プロセッサにより前記表示内容の奇数ピクセル及び偶数ピクセルに対応する表示データを交互に生成するように構成された第３生成サブモジュールと、
前記プロセッサにより、前記ディスプレイスクリーンの前記駆動集積回路へ、前記第３生成サブモジュールにより生成された前記表示データを伝送するように構成された第３伝送サブモジュールを含み、
前記駆動集積回路は、受けとった前記表示データに応じて更新するように前記ディスプレイスクリーンを制御するように構成され、前記表示データは、伝送バスを介して伝送される。
【００１７】
本開示の実施形態の第３側面によれば、内容を表示するための装置が提供され、該装置は、
プロセッサと、
前記プロセッサにより実行可能な指令を記憶するように構成されたメモリーを備え、
前記プロセッサは、
ディスプレイスクリーンにおける表示内容が変化するか否かを検出し;
もし表示内容が変化しないならば、表示単位の各行の奇数ピクセル及び偶数ピクセルに個別に対応する表示データを交互に更新するように前記ディスプレイスクリーンを制御するように構成され、
前記表示単位が、行により分割されたピクセル群のｍ行の組み合わせであり、ｍが正の整数である。
【発明の効果】
【００１８】
本開示の実施形態により提供される技術的解決策は、次の有利な効果を有し得る。
【００１９】
表示内容が変化するか否かを検出し、また表示内容が変化しないことが検出されるならば、表示内容の奇数ピクセル及び偶数ピクセルに個別に対応する表示データを交互に更新するようにディスプレイスクリーンを制御することにより、元のリフレッシュ周波数を維持しつつ各回のディスプレイスクリーンの更新ピクセル数が減じられ、従って、ディスプレイスクリーンのリフレッシュ周波数を低下することによりディスプレイスクリーンに生じ得るスプラッシュ・スクリーン現象の問題が解決され、従って、ディスプレイスクリーンの元のリフレッシュ周波数を維持しつつ、ディスプレイスクリーンのスプラッシュ・スクリーン現象を回避し、またディスプレイスクリーンの消費電力を低減する効果が達成される。
【００２０】
加えて、内容を更新するようにディスプレイスクリーンを制御するための端末の３つの実施で、伝送バスの消費電力が低減され、伝送バスで表示データが伝送される時に生じる電磁障害を低減する効果が達成される。
【００２１】
上述の一般的な記述及び後述の詳細な記述の両方が単に例示及び説明用であり、本開示の制限ではないものと理解される。
【図面の簡単な説明】
【００２２】
この明細書に組み込まれ、またその一部を構築する添付図面が、本開示に整合する実施形態を図示し、明細書の記述と共に本開示の原理を説明することを果たす。
【００２３】
【図１】図１は、実施形態例に係る内容を表示するための方法の実施環境を図示する概略図である。
【００２４】
【図２】図２は、実施形態例に係る内容を表示するための方法を示すフローチャートである。
【００２５】
【図３Ａ】図３Ａは、実施形態例に係る内容を表示するための方法を示すフローチャートである。
【００２６】
【図３Ｂ】図３Ｂは、実施形態例に係る第１種の更新を図示する概略図である。
【００２７】
【図３Ｃ】図３Ｃは、実施形態例に係る第２種の更新を図示する概略図である。
【００２８】
【図３Ｄ】図３Ｄは、実施形態例に係る内容を表示するための方法に伴われるディスプレイスクリーンの第１種の表示工程を示すフローチャートである。
【００２９】
【図３Ｅ】図３Ｅは、実施形態例に係る内容を表示するための方法に伴われるディスプレイスクリーンの第２種の表示工程を示すフローチャートである。
【００３０】
【図３Ｆ】図３Ｆは、実施形態例に係る内容を表示するための方法に伴われるディスプレイスクリーンの第３種の表示工程を示すフローチャートである。
【００３１】
【図３Ｇ】図３Ｇは、実施形態例に係る内容を表示するための方法に伴われるディスプレイスクリーンの表示工程を示す回路図である。
【００３２】
【図４】図４は、実施形態例に係る内容を表示するための機器を示すブロック図である。
【００３３】
【図５】図５は、別の実施形態例に係る内容を表示するための機器を示すブロック図である。
【００３４】
【図６】図６は、実施形態例に係る内容を表示するための装置を示すブロック図である。
【発明を実施するための形態】
【００３５】
ここで、参照が実施形態例に詳細に為され、この例が添付図面に図示される。次の記述は、逆のことが提示されない限り異図の同一番号が同一又は同様の要素を表す添付図面を参照する。実施形態例の次の記述で述べた実施は、本開示に整合する全ての実施を表すものではない。むしろ、これらは、添付請求項に掲載の本開示に関連した側面に整合する機器及び方法の単なる例である。
【００３６】
本開示の様々な実施形態により提供される内容を表示するための方法は、ディスプレイスクリーンを有する電子装置により実現化され得る。電子装置は、スマートフォン、スマートテレビ、パネルコンピュータ、電子書籍リーダー、ＭＰ３（Moving Picture Experts Group Audio Layer III）プレーヤ、ＭＰ４（Moving Picture Experts Group Audio Layer IV）プレーヤ、ラップトップ・ポータブル・コンピュータ（例えば、カメラ、カムコーダー）等であり得る。ディスプレイスクリーンは、ＬＣＤ（液晶ディスプレイ）、ＬＥＤ（発光ダイオード）又はＯＬＥＤ（有機発光ダイオード）等を用いてピクセルに表示するスクリーンであり得る。
【００３７】
本開示の様々な実施形態により提供される内容を表示するための方法に伴う実施環境を図示する概略図である図１に示すように、この実施環境は、ディスプレイスクリーンを有する電子装置の内部環境であり、プロセッサ１２０、伝送バス１４０、ディスプレイスクリーン１６０、及びディスプレイスクリーン１６０に対応する駆動集積回路１８０を含む。
【００３８】
プロセッサ１２０は、ＣＰＵ（中央処理ユニット）又はＧＰＵ（グラフィックス処理ユニット）であり、表示内容に対応する表示データを生成し、伝送バス１４０を介して駆動集積回路１８０に表示データを伝送するように構成され得る。
【００３９】
プロセッサ１２０と駆動集積回路１８０は、各々、伝送バス１４０で電気的に接続され、伝送バス１４０を介して表示データを伝送する。
【００４０】
駆動集積回路１８０は、伝送バス１４０を介してプロセッサ１２０により送信された表示データを受け取り、ディスプレイスクリーン１６０の対応のピクセル単位を制御して表示データに応じて表示内容を更新するように構成される。駆動集積回路１８０は、ディスプレイスクリーン１６０に電気的に接続される。
【００４１】
記述を簡素にするため、端末により実行される内容を表示するための方法は、下の例として理解されるが、発明を限定するものとして解釈されない。
【００４２】
図２は、別の実施形態例に係る内容を表示するための方法を示すフローチャートであり、内容を表示するための方法は、端末において適用される。図２に示すように、内容を表示するための方法は、次のステップを含む。
【００４３】
ステップ２０１では、ディスプレイスクリーンにおいて表示内容が変化するか否かが検出される。
【００４４】
ステップ２０２では、ディスプレイスクリーンは、もし表示内容が変化しないならば、表示単位の各行の奇数ピクセル及び偶数ピクセルに個別に対応する表示データを交互に更新するように制御され、ここで、表示単位は、行により分割されたピクセル群のｍ行の組み合わせであり、ｍが正の整数である。
【００４５】
結論として、本開示の実施形態により提供される内容を表示するための方法では、表示内容が変化するか否かを検出し、表示内容が変化しないことが検出されるならば、表示単位の各行の奇数ピクセル及び偶数ピクセルに個別に対応する表示データを交互に更新するようにディスプレイスクリーンを制御することにより、元のリフレッシュ周波数を維持しつつ各回のディスプレイスクリーンの更新ピクセル数が減じられ、ディスプレイスクリーンのリフレッシュ周波数を低下することによりディスプレイスクリーンに生じるスプラッシュ・スクリーン現象の問題が解決され、従って、ディスプレイスクリーンの元のリフレッシュ周波数を維持しつつ、ディスプレイスクリーンのスプラッシュ・スクリーン現象を回避し、ディスプレイスクリーンの消費電力を低減する効果が達成される。
【００４６】
図３Ａは、実施形態例に係る内容を表示するための方法を示すフローチャートであり、図３Ａに示すように、内容を表示するための方法は、次のステップを含む。
【００４７】
ステップ３０１においては、ディスプレイスクリーンにおける表示内容が所定条件を満足するか否かが検出される。
【００４８】
端末のディスプレイスクリーンが内容を表示するとき、所定周波数に応じてディスプレイスクリーンに対応する駆動集積回路へ生成した表示データを送信するためにプロセッサが必要とされる。駆動集積回路は、ディスプレイスクリーンを制御して表示データに応じた表示内容を表示する。プロセッサがＣＰＵ又はＧＰＵであり、所定周波数が典型的には６０Ｈｚであり得る。しかしながら、ある場合、ディスプレイスクリーンの表示内容が短時間で変化しないままであり得る。ＲＡＭ（ランダム・アクセス・メモリー）を有するディスプレイスクリーンについては、表示内容が変化しないならば、駆動集積回路がＲＡＭから履歴表示データを読み取り、従って、表示内容が変化しないならば、プロセッサが同一の表示データを生成するときに生じるリソースの無駄が回避される。しかしながら、ＲＡＭを有しないディスプレイスクリーンについては、プロセッサは、表示内容が変化しないとしても、依然として常に同一の表示データを生成する必要があり、プロセッサの計算リソースの無駄に帰結する。
【００４９】
同一の表示データを生成することにより生じるプロセッサの計算リソースの無駄を回避するため、端末は、リアルタイムで表示内容が所定の条件を満足するか否かを検出し得る。表示内容が所定の条件を満足することが検出されるならば、ステップ３０２が実行される。所定の条件は、表示内容が所定のアプリケーションに属すること、又は表示内容により要求される表示フレーム数が所定のフレーム数閾値未満であることの少なくとも一つを含み得る。
【００５０】
所定のアプリケーションは、電子書籍、写真ビューアーといった種類のアプリケーションであり得る。この種類のアプリケーションに対応する表示内容が静止画像であり、時間に亘り不変のままであり得る。
【００５１】
加えて、所定のフレーム数閾値が、ディスプレイスクリーンのデフォルトのリフレッシュ周波数であり、つまり、もし表示内容が動的画像であり、フレーム数がディスプレイスクリーンのリフレッシュ周波数未満であるならば、表示内容が所定の条件を満足し、例えば、表示内容がビデオであるならば、ビデオの表示フレーム数が２４フレーム／秒であり、ディスプレイスクリーンのリフレッシュ周波数が６０Ｈｚ（つまり、６０フレーム／秒）であり、表示内容が所定の条件を満足する。
【００５２】
ステップ３０２では、もし表示内容が所定の条件を満足することが検出されるならば、ディスプレイスクリーンの表示内容が変化するか否か検出される。
【００５３】
表示内容が所定の条件を満足することが検出されると、端末は、表示される表示内容が変化するか否かを検出する。表示内容が変化するならば、表示内容に対応する全体の表示データが生成される。もし表示内容が変化しないならば、ステップ３０３が実行される。
【００５４】
ある候補の実施としては、もし表示内容が所定のアプリケーションに属し、端末が、ユーザーによりトリガーされた表示内容変更信号を受け取るならば、端末は、表示内容が変化すると決定する。表示内容変更信号は、ユーザーがディスプレイスクリーンにタッチするときにトリガーされる信号であり得る。
【００５５】
別の候補の実施としては、表示内容により要求される表示フレーム数が所定フレーム数閾値未満であるならば、端末は、表示内容により要求される表示フレーム数及びディスプレイスクリーンのリフレッシュ周波数に応じて表示内容の変化期を決定し、変化期に応じて表示内容が変化するか否かを検出する。例えば、現在の表示内容が要求する表示フレームの数が１５フレーム／秒であり、ディスプレイスクリーンのリフレッシュ周波数が６０Ｈｚ（つまり、６０フレーム／秒）であり、表示内容の変化期が４フレームであり、つまり、ディスプレイスクリーンは、４フレームのリフレッシュに一回の頻度で表示内容を変化する。
【００５６】
ステップ３０３では、ディスプレイスクリーンは、もし表示内容が変化しないならば、表示単位の各行の奇数ピクセル及び偶数ピクセルに個別に対応する表示データを交互に更新するように制御され、表示単位が、行により分割されたピクセル群のｍ行の組み合わせであり、ｍは、正の整数である。
【００５７】
ディスプレイスクリーンが端末により制御され、もし表示内容が変化しないならば、表示単位の各行の奇数ピクセル及び偶数ピクセルに個別に対応する表示データを交互に更新する。ディスプレイスクリーン（ＬＣＤの液晶といったもの）がある程度の画像保持能を有するため、奇数ピクセルに対応する表示データが更新される時、偶数ピクセルの表示内容が消されず、僅かに弱まり、従って、表示内容の全体の表示性能に僅かに影響し、ユーザー体験に影響しない。
【００５８】
図３Ｂ及び図３Ｃを参照すると、陰影部分が奇数ピクセルであり、空欄部分が偶数ピクセルである。この実施形態においては、表示単位の２つの隣接する行において、第１行で更新した全奇数ピクセルと第２行で更新した全奇数ピクセルが、列方向で互い違いである(ずらされる：staggerd)。第１行で更新した全偶数ピクセルと第２行で更新した全偶数ピクセルが列方向で互い違いである。図３Ｂ及び図３Ｃにおいては、２つの隣接行の陰影部分が、列方向で互い違いである。
【００５９】
表示内容が変化しないことが検出されるならば、端末は、奇数の更新の時、ディスプレイスクリーンを制御し、全奇数ピクセルに対応する表示データのみを更新し得る；また、偶数の更新の時、全偶数ピクセルに対応する表示データのみを更新し得る。つまり、図３Ｂの陰影部分が、奇数更新中に更新され；図３Ｃの陰影部分が、偶数更新中に更新され得る。
【００６０】
明らかに、ディスプレイスクリーンは、上述の方法を用いて内容を表示するように制御される。もし表示内容が変化しないならば、ディスプレイスクリーンは、もはやその全体の表示データを各リフレッシュに際して更新する必要がなく、各リフレッシュに際して表示データの一部を更新する必要があるだけであり、例えば、表示単位の奇数ピクセルと偶数ピクセルに応じて交互に更新する時、各回で更新される表示データは、元の表示データの半分であり、従って、ディスプレイスクリーンの消費電力が顕著に低減される。
【００６１】
表示内容を更新するべく端末によりディスプレイスクリーンを制御するため、次のように３つの候補の実施形態がある。
【００６２】
第１の候補の実施形態においては、図３Ｄに示すように、ステップ３０３は、次のステップを含む。
【００６３】
ステップ３０３Ａでは、表示内容が変化しないことが検出されるならば、プロセッサは、表示内容の全表示単位に対応する表示データを生成する。
【００６４】
もし端末のプロセッサが、表示内容が変化しないことを検出するならば、つまり、プロセッサは、ディスプレイスクリーンの解像度に即した表示内容の全表示単位に対応する表示データを生成し、ここで、プロセッサは、ＣＰＵ又はＧＰＵであり得る。例えば、もしディスプレイスクリーンの解像度が１０８０×１９２０であるならば、プロセッサにより生成される表示内容に対応する表示データの量が、１０８０×１９２０＝２０７３６００ピクセルになる。
【００６５】
ステップ３０３Ｂにおいては、プロセッサは、伝送バスを制御し、奇数ピクセル及び偶数ピクセルに個別に対応する表示データをディスプレイスクリーンの駆動集積回路へ交互に送信し、駆動集積回路は、ディスプレイスクリーンを制御して、受けとった表示データに応じて更新するように構成される。
【００６６】
表示内容が変化しない時のディスプレイスクリーンにより更新される表示データの量を低減するため、表示内容が変化しないことをプロセッサが検出するならば、プロセッサは、伝送バスを制御して、奇数ピクセル及び偶数ピクセルに個別に対応する表示データを交互にディスプレイスクリーンの駆動集積回路へ送信し、表示単位は、ピクセルのｍ行の組み合わせである。
【００６７】
伝送バスを介して表示データを受けとった後、駆動集積回路は、ディスプレイスクリーンにおける対応のピクセルを制御し、表示データに応じて更新する。伝送バスが、奇数ピクセル及び偶数ピクセルに対応する表示データを交互に伝送するため、ディスプレイスクリーンは、各回で表示内容を更新する時、奇数ピクセル及び偶数ピクセルに対応する表示データのみを更新する。慣例の更新方法と比較すると、表示単位の一部に対応する表示データの交互の伝送が、顕著に低減された更新データ量を有し、ユーザーの知覚に影響しない。加えて、伝送バス上で伝送されるデータ量の顕著な低下のため、データ伝送により生じる電磁干渉が、それに従って低減し、従って、ディスプレイスクリーンにおける他の構成部品の通常の動作が確証される。
【００６８】
留意すべきは、表示内容が変化することが検出される時、プロセッサが、伝送バスを介して駆動集積回路へ表示データ全体を送信し、駆動集積回路が、表示内容の全表示単位に対応する表示データを更新するようにディスプレイスクリーンを制御することである。
【００６９】
この実施形態においては、表示内容が変化しない時、また、表示単位が、ピクセルのｍ行の組み合わせであるならば、プロセッサは、奇数ピクセル及び偶数ピクセルに対応する表示データを交互にディスプレイスクリーンの駆動集積回路へ送信するべく伝送バスを制御し、駆動集積回路は、受け取った表示データに応じて更新するようにディスプレイスクリーンを制御するように構成され、従って、伝送バスの消費電力を低減し、表示データが伝送バス上を伝送される時に生成される電磁干渉を低減する。
【００７０】
第２の候補の実施形態においては、図３Ｅに示すように、上述のステップ３０３が次のステップを含み得る。
【００７１】
ステップ３０３Ｃでは、表示内容が変化しないことが検出されるならば、プロセッサは、表示内容における全表示単位に対応する表示データを生成する。
【００７２】
このステップの実施は、ステップ３０３Ａのものと同様であり、ここでは説明しない。
【００７３】
ステップ３０３Ｄにおいては、プロセッサは、ディスプレイスクリーンの駆動集積回路へ表示データを伝送し、表示データが伝送バスを介して伝送される。
【００７４】
上述のステップ３０３Ｂとは異なり、プロセッサは、伝送バスを介して駆動集積回路へ全表示データを伝送する。
【００７５】
ステップ３０３Ｅにおいては、もし表示単位がピクセルのｍ行の組み合わせであるならば、プロセッサは、駆動集積回路へ第１交互更新指令を送信し、駆動集積回路は、第１交互更新指令に応じて、奇数ピクセル及び偶数ピクセルに個別に対応する表示データを交互に更新するべくディスプレイスクリーンを制御するように構成される。
【００７６】
プロセッサは、伝送バスに全表示データを伝送する間、駆動集積回路へ交互更新指令を送信する。もし、表示単位がピクセルのｍ行の組み合わせであるならば、プロセッサは、表示データの奇数ピクセル及び偶数ピクセルに個別に対応する表示データを交互に更新するべくディスプレイスクリーンを制御するように駆動集積回路に指令し、これにより、表示内容が変化しない時、ディスプレイスクリーンによる表示データの交互の更新、及びディスプレイスクリーンの消費電力が低減される効果が達成される。
【００７７】
留意すべきは、プロセッサが、交互更新指令を送信することよりも、伝送バスのみを介して駆動集積回路へ全表示データを伝送することである。これに応じて、駆動集積回路は、表示データにおける全表示単位の表示データを更新するようにディスプレイスクリーンを制御する。
【００７８】
この実施形態においては、表示内容が変化しない時、プロセッサは、駆動集積回路へ全表示単位に対応する表示データを送信するだけでなく、駆動集積回路へ交互更新指令も送信し、次に、表示データにおける奇数ピクセル及び偶数ピクセルに個別に対応する表示データを交互に更新するようにディスプレイスクリーンを制御するように駆動集積回路を指令し、これにより、もし表示内容が変化しないならば、ディスプレイスクリーンの表示データの更新量を低減し、ディスプレイスクリーンの消費電力を低減する。
【００７９】
第３の候補の実施形態においては、図３Ｆに示すように、上述のステップ３０３は、次のステップを含み得る。
【００８０】
ステップ３０３Ｆにおいては、表示内容が変化しないことが検出されるならば、プロセッサは、表示内容における奇数ピクセル及び偶数ピクセルに対応する表示データを交互に生成し、表示単位は、ピクセルのｍ行の組み合わせである。
【００８１】
上述のステップ３０３Ａ及び３０３Ｃとは異なり、プロセッサは、表示データ生成段階の過程で奇数ピクセル及び偶数ピクセルに対応する表示データを交互に生成する。表示データ全体を生成することに比べ、プロセッサは、表示データの一部を生成する時に顕著に低減した処理リソースを費やし、従って、プロセッサの消費電力が低減される。
【００８２】
ステップ３０３Ｇにおいては、プロセッサは、ディスプレイスクリーンの駆動集積回路へ生成された表示データを伝送し、駆動集積回路は、受け取った表示データに応じて更新するようにディスプレイスクリーンを制御するように構成され、表示データが伝送バスを介して伝送される。
【００８３】
プロセッサは、奇数ピクセル及び偶数ピクセルに対応する表示データを交互に生成し、生成した表示データを、伝送バスを介して駆動集積回路へ伝送し、また、駆動集積回路は、受け取った表示データに応じて更新するようにディスプレイスクリーンを制御し、従って、もし表示内容が変化しないならば、ディスプレイスクリーンの表示データの更新量が低減されるだけでなく、伝送バス上のデータの伝送量が低減し、表示データが伝送バス上を伝送される時に生成される電磁干渉が低減される。
【００８４】
この実施形態においては、表示内容が変化しない時、プロセッサは、奇数ピクセル及び偶数ピクセルに対応する表示データを交互に生成し、伝送バスを介してディスプレイスクリーンの駆動集積回路へ生成した表示データを伝送し、そして、駆動集積回路は、受け取った表示データに応じて更新するようにディスプレイスクリーンを制御し、これにより、プロセッサにより生成される表示データの量が低減され、またプロセッサの消費電力が低減されるだけでなく、伝送バスの消費電力が低減し、また、表示データが伝送バス上を伝送される時に生成される電磁干渉が低減される。
【００８５】
上述の３つの方法により表示データを取得した後、駆動集積回路は、表示データを更新するべくディスプレイスクリーンを制御する。実施過程では、ステップ３０３は、更に、もし表示単位が行により分割されたピクセル群のｍ行の組み合わせであるならば、奇数の更新の時、駆動集積回路により全奇数ピクセルのスイッチを第１状態に制御し、全偶数ピクセルのスイッチを第２状態に制御することと、偶数の更新の時、駆動集積回路により全偶数ピクセルのスイッチを第２状態に制御し、全奇数ピクセルのスイッチを第１状態に制御することを更に含み得る。
【００８６】
実施過程では、各ピクセルは、対応のイネーブル線を介して駆動集積回路に電気的に接続され、スイッチを介してデータ線に電気的に接続され、駆動集積回路がイネーブル線を介してピクセルに対応するスイッチの状態を制御し得る。第１状態がオン状態であり、第２状態がオフ状態であり、若しくは第１状態がオフ状態であり、第２状態がオン状態である。
【００８７】
例えば、駆動集積回路がイネーブル線を介してオン状態にピクセルのスイッチを制御する時、ピクセルの表示データがデータ線上で表示データを伝送することにより更新され得る；駆動集積回路がイネーブル線を介してオフ状態にピクセルのスイッチを制御する時、ピクセルの表示データは、変化しないままである。
【００８８】
この実施形態においては、各ピクセルについて一つのデータ線が設けられる；また、複数のピクセルについて一つのデータ線が設けられ、実施形態において限定されない。図３Ｇを参照して頂くに、ピクセルの一つの行の組み合わせのために設けられた一つのデータ線が一例として挙げられ、ピクセルの第１行の組み合わせをスキャンする時、つまり、第１行の表示単位に対応する表示データを更新する時、イネーブル線１が制御されてスイッチ１をオンに制御し、イネーブル線２が制御されてスイッチ２をオフに制御し、・・・、イネーブル線ｂ／２が制御されてスイッチｂがオンに制御される；ピクセルの第２行の組み合わせをスキャンする時、イネーブル線１が制御されてスイッチ１をオフに制御し、イネーブル線２が制御されてスイッチ２をオンに制御し、・・・、イネーブル線ｂ／２が制御されてスイッチｂがオフに制御される。
【００８９】
結論としては、本開示の実施形態により提供される内容を表示するための方法によれば、ディスプレイスクリーンの表示内容が変化するか否かを検出し、もし表示内容が変化しないならば、表示内容における奇数ピクセル及び偶数ピクセルに個別に対応する表示データを交互に更新するようにディスプレイスクリーンを制御することにより、元のリフレッシュ周波数を維持しつつも各回のディスプレイスクリーンの更新ピクセルの数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避し、また、ディスプレイスクリーンの元のリフレッシュ周波数を維持しながらディスプレイスクリーンの消費電力を低減する効果が達成される。
【００９０】
加えて、内容を更新するためにディスプレイスクリーンを制御するための端末の３つの実施によれば、伝送バスの消費電力が低減され、また表示データが伝送バスで伝送される時に生じる電磁干渉が低減される効果が達成される。
【００９１】
図４は、実施形態例に係る内容を表示するための機器を示すブロック図である。図４に示すように、内容を表示するための機器は、検出モジュール４１０及び制御モジュール４２０を含む。
【００９２】
検出モジュール４１０は、ディスプレイスクリーンの表示内容が変化するか否かを検出するように構成される。
【００９３】
制御モジュール４２０は、もし検出モジュール４１０により表示内容が変化しないことが検出されるならば、表示単位の各行の奇数ピクセル及び偶数ピクセルに個別に対応する表示データを交互に更新するべくディスプレイスクリーンを制御するように構成され、表示単位は、行により分割されたピクセルのｍ行の組み合わせであり、ｍが正の整数である。
【００９４】
結論としては、本開示の実施形態により提供される内容を表示するための機器によれば、ディスプレイスクリーンの表示内容が変化するか否かを検出し、もし表示内容が変化しないならば、表示内容における各行の奇数ピクセル及び偶数ピクセルに個別に対応する表示データを交互に更新するようにディスプレイスクリーンを制御することにより、元のリフレッシュ周波数を維持しつつも各回のディスプレイスクリーンの更新ピクセルの数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避し、また、ディスプレイスクリーンの元のリフレッシュ周波数を維持しながらディスプレイスクリーンの消費電力を低減する効果が達成される。
【００９５】
図５は、実施形態例に係る内容を表示するための機器を示すブロック図である。図５に示すように、内容を表示するための機器は、検出モジュール５１０及び制御モジュール５２０を含む。
【００９６】
検出モジュール５１０は、ディスプレイスクリーンの表示内容が変化するか否かを検出するように構成される。
【００９７】
制御モジュール５２０は、もし検出モジュール５１０により表示内容が変化しないことが検出されるならば、表示単位の各行の奇数ピクセル及び偶数ピクセルに個別に対応する表示データを交互に更新するべくディスプレイスクリーンを制御するように構成され、表示単位は、行により分割されたピクセルのｍ行の組み合わせであり、ｍが正の整数である。
【００９８】
代替として、表示単位の２つの隣接行について、第１行で更新した全奇数ピクセル及び第２行で更新した全奇数ピクセルが列方向で互い違いである；及び第１行で更新した全偶数ピクセル及び第２行で更新した全偶数ピクセルが列方向で互い違いであることを含む。
【００９９】
代替として、各ピクセルは、対応のイネーブル線を介して駆動集積回路に電気的に接続され、スイッチを介してデータ線に電気的に接続され、また、制御モジュール５２０は、第１制御サブモジュール５２１と第２制御サブモジュール５２２を含む。
【０１００】
第１制御サブモジュール５２１は、奇数の更新の時、駆動集積回路により、全奇数ピクセルのスイッチを第１状態にするように制御し、全偶数ピクセルのスイッチを第２状態に制御するように構成される。
【０１０１】
第２制御サブモジュール５２２は、偶数の更新の時、駆動集積回路により、全偶数ピクセルのスイッチを第２状態にするように制御し、全奇数ピクセルのスイッチを第１状態に制御するように構成される。
【０１０２】
代替として、制御モジュールは、第１生成サブモジュール５２３及び第１伝送サブモジュール５２４を更に含む。
【０１０３】
第１生成サブモジュール５２３は、表示内容が変化しないことを検出モジュール５１０が検出するならば、プロセッサにより表示内容の全表示単位に対応する表示データを生成するように構成される。
【０１０４】
第１伝送サブモジュール５２４は、第１生成サブモジュール５２３により生成され、奇数ピクセル及び偶数ピクセルに個別に対応する表示データを交互にディスプレイスクリーンの駆動集積回路へ伝送するように、プロセッサにより伝送バスを制御するように構成され、駆動集積回路は、受け取った表示データに応じて更新するべくディスプレイスクリーンを制御するように構成される。
【０１０５】
代替として、制御モジュールは、更に、第２生成サブモジュール５２５、第２伝送サブモジュール５２６、及び指令送信サブモジュール５２７を含む。
【０１０６】
第２生成サブモジュール５２５は、表示内容が変化しないことを検出モジュール５１０が検出するならば、プロセッサにより表示内容の全表示単位に対応する表示データを生成するように構成される。
【０１０７】
第２伝送サブモジュール５２６は、第２生成サブモジュール５２５により生成された表示データを、プロセッサによりディスプレイスクリーンの駆動集積回路へ伝送するように構成され、表示データが伝送バスを介して伝送される。
【０１０８】
指令送信サブモジュール５２７は、プロセッサにより駆動集積回路へ交互更新指令を送信するように構成され、駆動集積回路は、交互更新指令に応じて、第２伝送サブモジュール５２６により伝送された表示データの奇数ピクセル及び偶数ピクセルに個別に対応する表示データを交互に更新するべくディスプレイスクリーンを制御するように構成される。
【０１０９】
代替として、制御モジュールは、更に、第３生成サブモジュール５２８及び第３伝送サブモジュール５２９を含む。
【０１１０】
第３生成サブモジュール５２８は、表示内容が変化しないことを検出モジュール５１０が検出するならば、プロセッサにより表示内容の奇数ピクセル及び偶数ピクセルに対応する表示データを交互に生成するように構成される。
【０１１１】
第３伝送サブモジュール５２９は、プロセッサにより、ディスプレイスクリーンの駆動集積回路へ、第３生成サブモジュール５２８により生成された表示データを伝送するように構成され、駆動集積回路は、受け取った表示データに応じて更新するようにディスプレイスクリーンを制御するように構成され、表示データが伝送バスを介して伝送される。
【０１１２】
結論としては、本開示の実施形態により提供される内容を表示するための機器によれば、ディスプレイスクリーンの表示内容が変化するか否かを検出し、もし表示内容が変化しないならば、表示内容における奇数ピクセル及び偶数ピクセルに個別に対応する表示データを交互に更新するようにディスプレイスクリーンを制御することにより、元のリフレッシュ周波数を維持しつつも各回のディスプレイスクリーンの更新ピクセルの数が低減され、ディスプレイスクリーンのリフレッシュ周波数を低減することによりディスプレイスクリーンに生じ得るスプラッシュ・スクリーン現象の問題が解決され、従って、ディスプレイスクリーンのスプラッシュ・スクリーン現象を回避し、また、ディスプレイスクリーンの元のリフレッシュ周波数を維持しながらディスプレイスクリーンの消費電力を低減する効果が達成される。
【０１１３】
加えて、内容を更新するためにディスプレイスクリーンを制御するための端末の３つの実施によれば、伝送バスの消費電力が低減され、また表示データが伝送バスで伝送される時に生じる電磁干渉が低減される効果が達成される。
【０１１４】
上述の実施形態における装置に関しては、本明細書で述べた個別のモジュールの動作を実行するための特定の態様が、方法に関する実施形態にて既に詳細に記述され、ここで繰り返し詳細に記述されない。
【０１１５】
内容を表示するための装置が、本開示の実施形態において提供され、これは、本開示の実施形態で提供される内容を表示するための方法を実現化できる。
この内容を表示するための装置は、プロセッサと、プロセッサにより実行可能な指令を記憶するように構成されたメモリーを備える。
【０１１６】
プロセッサは、
ディスプレイスクリーンにおける表示内容が変化するか否かを検出し;
表示単位の各行の奇数ピクセル及び偶数ピクセルに個別に対応する表示データを交互に更新するようにディスプレイスクリーンを制御するように構成され、表示単位が、行により分割されたピクセル群のｍ行の組み合わせであり、ｍが正の整数である。
【０１１７】
図６は、実施形態例に係る内容を表示するための装置６００を示すブロック図である。例えば、装置６００は、携帯電話、コンピュータ、デジタル・ブロードキャスト端末、メッセージング装置、ゲーム・コンソール、タブレット、医療装置、エクササイズ器具、ＰＤＡ（パーソナル・デジタル・アシスタンス）及び同種のものであり得る。
【０１１８】
図６を参照すると、装置６００は、１以上の次の構成部品、処理部６０２、メモリー６０４、電源部６０６、マルチメディア部６０８、音声部６１０、入出力（Ｉ／Ｏ）インターフェイス６１２、センサー部６１４、及び通信部６１６を含み得る。
【０１１９】
処理部６０２は、典型的には、ディスプレイ、電話、データ通信、カメラ作動、及び記録動作といった装置６００の全ての作動を制御する。処理部６０２は、１以上のプロセッサ６２０を含み、上述の方法の全て又は一部のステップを実行するように指令を実行する。更には、処理部６０２は、１以上のモジュールを含み、処理部６０２と他の構成部品の間の相互作用を促進し得る。例えば、処理部６０２は、マルチメディア部６０８と処理部６０２の間の相互作用を促進するマルチメディア・モジュールを含み得る。
【０１２０】
メモリー６０４は、装置６００の作動をサポートする様々な種類のデータを記憶するように構成される。そのようなデータの例が、装置６００上で作動する任意のアプリケーション又は方法のための指令、コンタクト・データ、電話帳データ、メッセージ、写真、ビデオ等を含む。メモリー６０４は、スタティック・ランダム・アクセス・メモリー（ＳＲＡＭ）、電気的に消去可能なプログラム可能なリードオンリー・メモリー（ＥＥＰＲＯＭ）、消去可能なプログラム可能なリードオンリー・メモリー（ＥＰＲＯＭ）、プログラム可能なリードオンリー・メモリー（ＰＲＯＭ）、リードオンリー・メモリー（ＲＯＭ）、磁気メモリー、フラッシュメモリー、磁気又は光学ディスクといった任意の種類の揮発性又は不揮発性メモリー装置、又はこれらの組み合わせを用いて実施され得る。
【０１２１】
電源部６０６は、装置６００の様々な構成部品に電力を供給するように構成される。電源部６０６は、電源管理システム、１以上の電源、及び装置６００における電力の生成、制御、及び分配に関して関連する他の構成部品を含み得る。
【０１２２】
マルチメディア部６０８は、装置６００とユーザー間の出力インターフェイスを提供するように構成されたスクリーンを含む。幾つかの実施形態においては、スクリーンは、液晶ディスプレイ（ＬＣＤ）及びタッチパネル（ＴＰ）を含み得る。スクリーンがタッチパネルを含むならば、スクリーンは、タッチスクリーンとして実施され、ユーザーからの入力信号を受け取る。タッチパネルは、１以上の接触センサーを含み、タッチパネル上の接触、スワイプ、及びジェスチャーを検出する。接触センサーは、タッチ又はスワイプのアクションの境界を検出するだけでなく、タッチ又はスワイプのアクションに関連した期間及び圧力も検出し得る。幾つかの実施形態においては、マルチメディア部６０８は、フロントカメラ及び／又はリアカメラを含む。フロントカメラは及びリアカメラは、装置６００が、写真モード又はビデオモードといった動作モードにある時、外部マルチメディアデータを受け取る。フロントカメラ及びリアカメラそれぞれは、固定された光学レンズ系又はフォーカス及び光学ズーム能力を有し得る。
【０１２３】
音声部６１０は、音声信号を出力及び／又は入力するように構成される。例えば、音声部６１０は、装置６００が、通話モード、記録モード、及び音声認識モードといった動作モードにある時、外部音声信号を受け取るように構成されたマイクロホン（マイク）を含む。受け取った音声信号は、更に、メモリー６０４に記憶され、通信部６１６を介して伝送され得る。幾つかの実施形態においては、音声部６１０は、更に、拡声器を含み、音声信号を出力する。
【０１２４】
Ｉ／Ｏインターフェイス６１２は、処理部６０２と、キーボード、クリックホイール、ボタン、及び同種のものといった周辺インターフェイスモジュールの間のインターフェイスを提供するように構成される。ボタンは、これに限定されるものではないが、ホームボタン、音量ボタン、スタートボタン、及びロックボタンを含み得る。
【０１２５】
センサー部６１４は、１以上のセンサーを含み、装置６００の様々な側面のステータス評価を提供する。例えば、センサー部６１４は、装置６００のオン／オフ状態、装置６００の構成部品（例えば、ディスプレイスクリーンとキーパッド）の相対的な位置を検出し得る。センサー部６１４は、更に、装置６００又は装置６００の構成部品の位置における変化、装置６００に触るユーザーの存在又は不在、装置６００の配向又は加速／減速、及び装置６００の温度の変化を検出する。センサー部６１４は、任意の物理的な接触がない近くの対象物の存在を検出するように構成された近接センサーを含み得る。センサー部６１４は、イメージングアプリケーションでの使用のため、ＣＭＯＳ又はＣＣＤイメージセンサーといった光センサーを更に含み得る。幾つかの実施形態においては、センサー部６１４は、また、加速度センサー、ジャイロスコープセンサー、磁気センサー、圧力センサー、又は温度センサーを含み得る。
【０１２６】
通信部６１６は、装置６００と他の端末の間の有線又は無線通信を促進するように構成される。装置６００は、ＷｉＦｉ、２Ｇ、又は３Ｇ、又はこれらの組み合わせといった通信規格に基づく無線ネットワークにアクセス可能である。ある実施形態例においては、通信部６１６は、ブロードキャスト・チャンネルを介して外部のブロードキャスト制御システムからのブロードキャスト信号又はブロードキャスト関連情報を受け取る。ある実施形態例においては、通信部６１６は、更に、近距離無線通信（ＮＦＣ）モジュールを含み、短距離通信を促進する。例えば、ＮＦＣモジュールは、無線識別（ＲＦＩＤ）技術、赤外線通信規格（ＩｒＤＡ）技術、ウルトラワイドバンド（ＵＷＢ）技術、ブルートゥース（登録商標）（ＢＴ）技術又は他の技術に基づいて実施され得る。
【０１２７】
実施形態例においては、装置６００は、上述の方法を実行するため、特定用途向け集積回路（ＡＳＩＣ）、デジタル信号プロセッサ（ＤＳＰ）、デジタル信号処理装置（ＤＳＰＤ）、プログラム可能論理装置（ＰＬＤ）、フィールド・プログラマブル・ゲート・アレイ（ＦＰＧＡ）、コントローラ、マイクロコントローラ、マイクロプロセッサ、又は他の電子部品といった１以上の電子装置で実施され得る。
【０１２８】
実施形態例においては、上述の方法を実行するべく装置６００のプロセッサ６２０により実行可能な指令を含むメモリー６０４といった、指令を含む非一時的なコンピュータ読み取り可能な記憶媒体が更に提供される。例えば、非一時的なコンピュータ読み取り可能な記憶媒体は、ＲＯＭ、ＲＡＭ、ＣＤ−ＲＯＭ、磁気テープ、フロッピーディスク、光学データ記憶装置、及び同種のものであり得る。
【０１２９】
明細書の検討やここに示した本開示の実践から、本開示の他の実施形態が当業者には明らかであろう。この出願は、この一般原則に従い、該分野での既知又は慣例の実践から分かる本開示からのそのような逸脱を含む本開示の任意のバリエーション、使用、適用に及ぶことが意図される。明細書及び例は、例のみとして理解されることが意図され、本開示の新の範囲及び精神が次の請求項により示される。
【０１３０】
本開示は、上述及び添付図面に図示されたままの構成に限定されないものと理解され、また、様々な修正や変更が、その範囲から逸脱することなく為すことができる。本開示の範囲は、添付請求項のみにより限定されることが意図される。
【図１】
0006312824.tif 000002
【図２】
0006312824.tif 000003
【図３Ａ】
0006312824.tif 000004
【図３Ｂ】
0006312824.tif 000005
【図３Ｃ】
0006312824.tif 000006
【図３Ｄ】
0006312824.tif 000007
【図３Ｅ】
0006312824.tif 000008
【図３Ｆ】
0006312824.tif 000009
【図３Ｇ】
0006312824.tif 000010
【図４】
0006312824.tif 000011
【図５】
0006312824.tif 000012
【図６】
0006312824.tif 000013